(57)【要約】【課題】本発明は、絶縁層が第１電極層及び第２電極層の何れか一方の層の一部をむき出しにした状態で該一方の層を覆っている場合に比べて、反射板からの光の反射率が高い表示媒体の提供を目的とする。【解決手段】表示媒体は、一方の面側に第１電極層、他方の面側に反射層が設けられている第１板と、一方の面側に第２電極層が設けられ、前記第１電極層に前記第２電極層を向けて前記第１板に対向している第２板と、前記第１板と前記第２板との対向面間を複数の室に隔てている隔壁と、複数の荷電粒子を含み、前記複数の室に充填されている液と、前記第１電極層及び前記第２電極層の何れか一方の層に導通しつつ該一方の層から他方の層に向けて突起している突起電極と、前記一方の層を覆っている絶縁層と、を備えている。【選択図】図２
2017156692.tif 000002
【特許請求の範囲】
【請求項１】
一方の面側に第１電極層、他方の面側に反射層が設けられている第１板と、
一方の面側に第２電極層が設けられ、前記第１電極層に前記第２電極層を向けて前記第１板に対向している第２板と、
前記第１板と前記第２板との対向面間を複数の室に隔てている隔壁と、
複数の荷電粒子を含み、前記複数の室に充填されている液と、
前記第１電極層及び前記第２電極層の何れか一方の層に導通しつつ該一方の層から他方の層に向けて突起している突起電極と、
前記一方の層を覆っている絶縁層と、
を備えた表示媒体。
【請求項２】
前記絶縁層の厚みは、前記突起電極の高さの１．５倍以下とされている、
請求項１に記載の表示媒体。
【請求項３】
前記絶縁層の比誘電率は、３．０以下とされている、
請求項１又は２に記載の表示媒体。
【請求項４】
前記絶縁層は、中空粒子を含んで構成されている、
請求項３に記載の表示媒体。
【請求項５】
前記突起電極は、前記第１板と前記第２板との対向方向から見て、前記室における中央側に位置している、
請求項１〜４の何れか１項に記載の表示媒体。
【請求項６】
請求項１〜５の何れか１項に記載の表示媒体と、
前記第１電極層及び前記第２電極層に印加される電圧を制御する制御部と、
を備えた表示装置。
【発明の詳細な説明】
【技術分野】
【０００１】
本発明は、表示媒体及び表示装置に関する。
【背景技術】
【０００２】
特許文献１には、帯電粒子による被覆が可能な表示面を設定した表示側基板と、前記表示面に接する前記帯電粒子の移動空間を仕切る隔壁と、を備え、前記表示面と前記隔壁との間で前記帯電粒子を移動させる粒子移動型表示装置が開示されている。また、特許文献１には、共通の材料を積層した抵抗性の薄膜層によって前記隔壁の起立面と前記表示面とが覆われ、前記起立面を覆う前記薄膜層は、前記隔壁の近傍に配置された隔壁電極に接続して前記表示面を囲む電極面を形成していることが開示されている。
【０００３】
特許文献２には、複数の閉空間が並置された基板と、該閉空間に内包された複数の粒子と、該閉空間に入射した光を反射する反射面を備え、該複数の粒子が、該閉空間内で、拡散して該反射面を遮蔽する位置と、集積して反射面を露出する位置との間で移動して、反射光の強度を変化させることにより、明暗の表示状態を形成する表示装置が開示されている。また、特許文献２には、該反射面の少なくとも一部は、該複数の粒子が反射面を露出する位置にあるときに、入射光を指向性を有して拡散反射し、該指向性を有する拡散反射の光強度の角度分布は、（１）複数の粒子が集積する位置への反射光量が、反射面を等方拡散反射面と仮定したときの複数の粒子が集積する位置への反射光量と比較して小さく、かつ（２）複数の粒子が集積する位置以外への反射光量が、複数の粒子が集積する位置への反射光量よりも大きい角度分布であることが開示されている。
【０００４】
特許文献３には、一対の基板と、該基板の少なくとも一方に形成された少なくとも一つの電極と、該基板間に挟持された、帯電泳動粒子と該帯電泳動粒子を分散させる分散媒を含有する分散液を有する電気泳動表示装置が開示されている。また、特許文献３には、その請求項１に記載されている一般式（１）及び一般式（２）で表される構造単位の重量比率が３：９５以上且つ５０：５０以下の範囲である高分子共重合体で粒子の表面を被覆した帯電泳動粒子を含有することが開示されている。
【先行技術文献】
【特許文献】
【０００５】
【特許文献１】特開２００７−０５７７２４号公報
【特許文献２】特開２００５−１２８４８６号公報
【特許文献３】特開２００７−１４０２７９号公報
【発明の概要】
【発明が解決しようとする課題】
【０００６】
本発明は、絶縁層が第１電極層及び第２電極層の何れか一方の層の一部をむき出しにした状態で該一方の層を覆っている場合に比べて、反射板からの光の反射率が高い表示媒体の提供を目的とする。
【課題を解決するための手段】
【０００７】
請求項１に記載の表示媒体は、一方の面側に第１電極層、他方の面側に反射層が設けられている第１板と、一方の面側に第２電極層が設けられ、前記第１電極層に前記第２電極層を向けて前記第１板に対向している第２板と、前記第１板と前記第２板との対向面間を複数の室に隔てている隔壁と、複数の荷電粒子を含み、前記複数の室に充填されている液と、前記第１電極層及び前記第２電極層の何れか一方の層に導通しつつ該一方の層から他方の層に向けて突起している突起電極と、前記一方の層を覆っている絶縁層と、を備えている。
【０００８】
請求項２に記載の表示媒体は、請求項１に記載の表示媒体であって、前記絶縁層の厚みは、前記突起電極の高さの１．５倍以下とされている。
【０００９】
請求項３に記載の表示媒体は、請求項１又は２に記載の表示媒体であって、前記絶縁層の比誘電率は、３．０以下とされている。
【００１０】
請求項４に記載の表示媒体は、請求項３に記載の表示媒体であって、前記絶縁層は、中空粒子を含んで構成されている。
【００１１】
請求項５に記載の表示媒体は、請求項１〜４の何れか１項に記載の表示媒体であって、前記突起電極は、前記第１板と前記第２板との対向方向から見て、前記室における中央側に位置している。
【００１２】
請求項６に記載の表示装置は、請求項１〜５の何れか１項に記載の表示媒体と、前記第１電極層及び前記第２電極層に印加される電圧を制御する制御部と、を備えている。
【発明の効果】
【００１３】
請求項１に記載の表示媒体によれば、絶縁層が第１電極層及び第２電極層の何れか一方の層の一部をむき出しにした状態で該一方の層を覆っている場合に比べて、反射板からの光の反射率が高い。
【００１４】
請求項２に記載の表示媒体によれば、絶縁層の厚みが突起電極の高さの１．５倍より大きい場合に比べて、反射板からの光の反射率が高い。
【００１５】
請求項３に記載の表示媒体によれば、絶縁層の比誘電率が３．０より大きい場合に比べて、短時間で突起電極に荷電粒子を集め易い。
【００１６】
請求項４に記載の表示媒体によれば、簡単な構成で絶縁層の比誘電率を３．０以下にすることができる。
【００１７】
請求項５に記載の表示媒体によれば、突起電極が室における隔壁側に位置している場合に比べて、反射板からの光の反射率が高い。
【００１８】
請求項６に記載の表示装置によれば、絶縁層が第１電極層及び第２電極層の何れか一方の層の一部をむき出しにした状態で該一方の層を覆っている場合に比べて、反射板からの光の反射率が高い。
【図面の簡単な説明】
【００１９】
【図１】第１実施形態の表示装置を示す図であって、表示装置を構成する表示媒体の一部を断面とした斜視図である。
【図２】第１実施形態の表示装置を示す図であって、表示装置を構成する表示媒体の一部を拡大断面図とした概略図である。
【図３】比較形態の表示装置を示す図であって、表示装置を構成する表示媒体の一部を拡大断面図とした概略図である。
【図４】比較形態の表示媒体において、白色を発色する場合にセル内に形成される電界の等電位線の分布図と、セル内の荷電粒子の泳動の状態を説明するための図である。
【図５】第１実施形態の表示媒体において、白色を発色する場合にセル内に形成される電界の等電位線の分布図と、セル内の荷電粒子の泳動の状態を説明するための図である。
【図６】第１実施形態の表示媒体において、初期状態から白色を発色するためにセル内に電界を形成して１０秒経過時におけるセル内の荷電粒子の分布を示す模式図である。
【図７】第２実施形態の表示装置を示す図であって、表示装置を構成する表示媒体の一部を拡大断面図とした概略図である。
【図８】第２実施形態の表示媒体において、白色を発色する場合にセル内に形成される電界の等電位線の分布図である。
【図９】第１変形例の表示装置を示す図であって、表示装置を構成する表示媒体の一部を拡大断面図とした概略図である。
【図１０】第２変形例の表示装置を示す図であって、表示装置を構成する表示媒体の一部を拡大断面図とした概略図である。
【図１１】第３変形例の表示装置を示す図であって、表示装置を構成する表示媒体の一部を拡大断面図とした概略図である。
【図１２】第４変形例の表示装置を示す図であって、表示装置を構成する表示媒体の一部を拡大断面図とした概略図である。
【発明を実施するための形態】
【００２０】
≪概要≫
以下、実施形態（第１及び第２実施形態）について説明する。
【００２１】
≪第１実施形態≫
以下、第１実施形態について説明する。まず、本実施形態の表示装置１０の構成について説明する。次いで、本実施形態の表示装置１０の動作について説明する。次いで、本実施形態の作用効果について説明する。
【００２２】
＜表示装置の構成＞
以下、本実施形態の表示装置１０の構成について、特に断りのない限り図１及び図２を参照しながら説明する。本実施形態の表示装置１０は、表示媒体２０と、ドライバ３０と、を含んで構成されている。ここで、ドライバ３０は、制御部の一例である。表示装置１０は、文字、記号、図形、画像その他の視覚的情報（以下、視覚的情報という。）の表示が可能な装置とされている。表示装置１０は、例えば、電子新聞、電子書籍、電子黒板、電子看板その他の電子的な表示手段として用いられる。
【００２３】
［表示媒体］
表示媒体２０は、第１基板４０と、第２基板５０と、隔壁６０と、液７０と、突起電極８０と、絶縁層９０とを含んで構成されている。ここで、第１基板４０は第１板の一例、第２基板５０は第２板の一例である。なお、表示媒体２０は、第１基板４０と第２基板５０とが重ねられた状態で構成されており、一例として長方形のシートとされている。また、表示媒体２０は、その厚み方向の第２基板５０側に視覚的情報を表示するようになっている。以下の説明では、図中の矢印Ｘを表示媒体２０の長手方向、矢印Ｙを短手方向、矢印Ｚを厚み方向とする。
【００２４】
〔第１基板〕
第１基板４０は、一例として長方形のシートとされている。第１基板４０は、第１支持板４２と、第１電極層４４と、反射板４６とを含んで構成されている。第１支持板４２は、第１電極層４４及び反射板４６を支持する機能を有する。第１電極層４４は、外部電源（図示省略）から電圧が印加されて、後述する第２電極層５４との間で電界を形成する機能を有する。反射板４６は、光を反射する機能を有する。ここで、反射板４６は、反射層の一例である。
【００２５】
第１支持板４２、第１電極層４４及び反射板４６は、これらの厚み方向から見ると、一例として何れも同等の形状とされる長方形のシートとされている。そして、第１支持板４２の一方の面には第１電極層４４が、他方の面には反射板４６が配置されている。すなわち、第１基板４０は、その一方の面側に第１電極層４４、他方の面側に反射板４６が設けられている。なお、第１支持板４２及び第１電極層４４は、透明のシートとされている。また、反射板４６は、一例として白色のシートとされている。このため、反射板４６は、光を反射すると白色に発色するようになっている。
【００２６】
〔第２基板〕
第２基板５０は、一例として長方形のシートとされている。第２基板５０は、第２支持板５２と、第２電極層５４とを含んで構成されている。第２支持板５２は、第２電極層５４を支持する機能を有する。第２電極層５４は、一例として、その厚み方向から見て正方形とされる複数の独立した電極層で構成されている。各電極層は、第２支持板５２の一面に配置され、第２支持板５２の長手方向及び短手方向に定められた間隔をおいて並べられている。すなわち、第２基板５０は、その一方の面側に第２電極層５４が設けられている。また、第２基板５０は、その第２電極層５４が設けられている側を、第１基板４０における第１電極層４４が設けられている側に向けて、第１基板４０に対向している。なお、第２電極層５４を構成する各独立した電極層（以下、独立した電極層を独立電極という。）は、外部電源（図示省略）から電圧が印加されて、第１電極層４４及び突起電極８０との間で電界を形成する機能を有する。また、第２支持板５２及び第２電極層５４は、透明のシートとされている。
【００２７】
［隔壁］
隔壁６０は、第１基板４０と第２基板５０との対向面間を複数のセルＣＬに隔てる機能を有する。ここで、セルＣＬは、室の一例である。
【００２８】
隔壁６０は、表示媒体２０の長手方向及び短手方向に沿ってそれぞれ定められた間隔で並んだ壁とされている。隔壁６０の一端６２は絶縁層９０に固定され、他端６４は第２基板５０に固定されている。また、隔壁６０の他端６４側の側面は、各第２電極層５４の側面に接触している。そして、各セルＣＬは、直方体状の密閉された空間を形成している。なお、隔壁６０は、一例として白色とされている。
【００２９】
［液］
液７０は、一例として、複数の荷電粒子７２と、分散媒７４とを含んで構成されている。液７０は、分散媒７４に対し、荷電粒子７２の個数がそれぞれ定められた範囲内となるように分散されている。そして、液７０は、各セルＣＬに充填されている。なお、複数の荷電粒子７２は、一例として、正極性に帯電された、黒色の粒子とされている。また、分散媒７４は、体積抵抗率が１．０×１０７Ω・ｃｍ以上の液体、すなわち、絶縁性の液体とされている。
【００３０】
［突起電極］
突起電極８０は、前述のとおり、外部電源（図示省略）から電圧が印加されて、第２電極層５４との間で電界を形成する機能を有する。突起電極８０は、表示媒体２０に複数個（一例としてセルＣＬの個数と同数個であって、各セルＣＬに対応して１個ずつ）備えられている。各突起電極８０は、表示媒体２０の厚み方向から見ると、各セルＣＬにおける中央（表示媒体２０の長手方向及び短手方向の各中央）に１個ずつ備えられている（図１参照）。すなわち、各突起電極８０は、表示媒体２０の厚み方向から見ると、各セルＣＬにおける端側（隔壁６０側）よりも中央側に配置されている。また、各突起電極８０は、表示媒体２０の長手方向又は短手方向から見ると、第１基板４０の第１電極層４４上に配置されている。なお、各突起電極８０は、第１電極層４４に接触して第１電極層４４に導通しつつ、第１電極層４４から第２電極層５４（及び第２基板５０）側に突起している。また、本実施形態の突起電極８０は、一例として、球状とされている。また、本実施形態の突起電極８０の径は、一例として、第１電極層４４と第２電極層５４との距離よりも短い。
【００３１】
［絶縁層］
絶縁層９０は、突起電極８０が導通している電極層（本実施形態の場合は第１電極層４４）の層を覆っている。本実施形態の絶縁層９０の厚みは、一例として突起電極８０の径と同等とされている。すなわち、本実施形態では、表示媒体２０の厚み方向から見ると、各セルＣＬにおける絶縁層９０の中央（表示媒体２０の長手方向及び短手方向の各中央）から、突起電極８０の一部が点状に露出している。なお、本実施形態の絶縁層９０の比誘電率は、一例として３．０とされている。また、本実施形態の絶縁層９０は、一例として透明の層とされている。
【００３２】
［ドライバ］
ドライバ３０は、外部電源（図示省略）により第１電極層４４及び第２電極層５４（を構成する各独立電極）に印加される電圧を制御する機能を有する。なお、ドライバ３０は、外部装置（図示省略）から受け取る表示情報に関するデータ（以下、表示データという。）に基づいて、第１電極層４４及び第２電極層５４に印加される電圧を制御するようになっている。ドライバ３０の具体的な機能については、表示装置１０の動作の説明の中で説明する。
【００３３】
以上が、本実施形態の表示装置１０の構成についての説明である。
【００３４】
＜表示装置の動作＞
次に、本実施形態の表示装置１０の動作について図２を参照しつつ説明する。なお、図２には表示媒体２０の長手方向に隣接している２つのセルＣＬの全体が図示されているが、一方のセルＣＬをセルＣＬ１、セルＣＬ１の独立電極を独立電極５４１とし、他方のセルＣＬをセルＣＬ２、セルＣＬ２の独立電極を独立電極５４２とする。また、ドライバ３０が外部装置（図示省略）から受け取る表示データは、一例として、セルＣＬ１に黒色、セルＣＬ２に白色を発色させるものとして説明する。また、表示装置１０の動作の開始前のセルＣＬ内の複数の荷電粒子７２は、セルＣＬ内においてランダムに配置されている状態（初期状態）にあるものとする。
【００３５】
ドライバ３０は、外部装置から表示データを受け取ると、外部電源により第１電極層４４に０Ｖの電圧を印加する。これに伴い、第１電極層４４に導通する各突起電極８０は０Ｖの電圧が印加される。
【００３６】
また、ドライバ３０は、外部電源によりセルＣＬ１の独立電極５４１に負極性の電圧を印加する。これに伴い、セルＣＬ１内には第１電極層４４及び突起電極８０から独立電極５４１に向く電界が形成され、セルＣＬ１内の複数の荷電粒子７２はセルＣＬ１内の電界により独立電極５４１に向かって泳動する。そして、図２に示されるように、定められた時間（一例として０．３秒）が経過すると、セルＣＬ１内のすべての荷電粒子７２は独立電極５４１上又はその近傍に到達する。その結果、セルＣＬ１は、第２支持板５２から入射する光を独立電極５４１上又はその近傍の荷電粒子７２を吸収して、黒色に発色する。
【００３７】
また、ドライバ３０は、外部電源によりセルＣＬ２の独立電極５４２に正極性の電圧を印加する。これに伴い、セルＣＬ２内には独立電極５４２からに第１電極層４４及び突起電極８０に向く電界が形成され、セルＣＬ２内の複数の荷電粒子７２はセルＣＬ２内の電界により第１電極層４４及び突起電極８０に向かって泳動する。そして、図２に示されるように、定められた時間（一例として０．３秒）が経過すると、セルＣＬ２内の多くの荷電粒子７２は突起電極８０上又はその近傍に到達する。その結果、第２基板５０からセルＣＬ２内に入射した光の一部が突起電極８０上又はその近傍に配置されている荷電粒子７２に吸収又は散乱され、当該光の残りの一部（セルＣＬ２内に入射した光のうち７０％以上１００％未満の光）が反射板４６で反射されて、セルＣＬ２は白色に発色する。なお、定められた時間の経過後、セルＣＬ２内のすべての荷電粒子７２が突起電極８０上又はその近傍に到達することのメカニズムについては、後述する。
【００３８】
以上の動作により、セルＣＬ１は黒色を、セルＣＬ２は白色を発色し、セルＣＬ全体で表示データに基づく視覚的情報を表示する。そして、使用者が表示装置１０に備えられている終了ボタン（図示省略）を押すと、ドライバ３０は、外部電源よる第１電極層４４へ０Ｖを印加させたまま、定められた時間（一例として０．３秒）、すべての独立電極に平均値が０Ｖの交流電圧を印加する。その結果、各セルＣＬ内の複数の荷電粒子７２は交流電界により泳動して初期状態とされて、表示装置１０の動作が終了する。
【００３９】
以上が、本実施形態の表示装置１０の動作についての説明である。
【００４０】
＜作用効果＞
次に、本実施形態の作用効果（第１及び第２の作用効果）について図面を参照しつつ説明する。ここでは、本実施形態と、以下に説明する比較形態（第１及び第２比較形態）とを比較して、本実施形態の作用効果を説明する。なお、各比較形態の説明において、本実施形態を構成する要素等を用いる場合、図示しない場合であっても、その要素等の符号をそのまま用いることにする。
【００４１】
［第１の作用効果］
第１の作用効果は、本実施形態の表示媒体２０が、突起電極８０と、絶縁層９０とを備えていることの作用効果である。第１の作用効果については、本実施形態を後述する第１比較形態と比較して説明する。
【００４２】
第１比較形態の表示媒体２０Ａ（図３参照）は、その厚み方向から見て、各セルＣＬ内の絶縁層９０における中央（表示媒体２０の長手方向及び短手方向の各中央）に、突起電極８０の径と同等の径の貫通孔９２が形成されている。また、第１比較形態の表示媒体２０Ａは、突起電極８０を備えていない。第１比較形態は、これらの点以外、本実施形態と同様の構成とされている（図２及び図３参照）。
【００４３】
ここで、図３に示される第１比較形態の表示装置１０Ａでは、一例として、セルＣＬ１に黒色、セルＣＬ２に白色を発色させている状態を示している。第１比較形態の場合、白色を発色させている状態のセルＣＬ２内の複数の荷電粒子７２のうちの一部の荷電粒子７２は、表示媒体２０Ａの厚み方向から見ると、セルＣＬ２の中央から離れた位置に配置されている。そのため、第１比較形態の場合、第２基板５０から入射する光の一部が、セルＣＬ２の中央から離れた位置に配置されている荷電粒子７２に吸収又は散乱されて、反射板４６に到達することができない。その結果、第２基板５０からセルＣＬ２内に入射した光の一部（セルＣＬ２内に入射した光のうち３０％以上４０％以下の光）は、セルＣＬ２の中央から離れた位置に配置されている荷電粒子７２に吸収又は散乱される。別言すれば、第１比較形態の場合、第２基板５０からセルＣＬ２内に入射した光のうち７０％以上の光を反射板４６で反射させることができない。すなわち、第１比較形態の表示媒体２０Ａにおける反射率は、７０％未満である。
【００４４】
ここで、本明細書における反射率は、JIS P 8148「紙及び板紙の拡散証明方式による白色度試験方法」(ISO白色度）に基づくて測定される値である。
【００４５】
以上のとおり、第１比較形態の場合、表示媒体２０Ａの厚み方向から見て、セルＣＬ２内の複数の荷電粒子７２のうちの一部の荷電粒子７２がセルＣＬ２の中央から離れた位置に配置されるメカニズムは、以下のとおりと考えられる。第１比較形態において、セルＣＬ２を白色に発色させる場合にセルＣＬ２内に形成される電界は、図４に示されるような、等電位線を形成する。第２比較形態の場合、第１電極層４４における中央に貫通孔９２が形成されていることから、貫通孔９２内及び貫通孔９２の近傍（図５における破線ＢＬ内の部分）は、等電位線が歪んでいる。そのため、第２比較形態の場合、初期状態において破線ＢＬ内にある荷電粒子７２は、セルＣＬ２内の電界により貫通孔９２内及び貫通孔９２の近傍に向かって泳動して到達する。これに対して、例えば、初期状態においてセルＣＬ２における隔壁６０側かつ独立電極５４２側の位置（破線Ｐ１で囲まれた位置）に配置されていた荷電粒子７２は、セルＣＬ２内に形成された電界により矢印方向（表示媒体２０Ａの厚み方向）に泳動して絶縁層９０上（破線Ｐ２で囲まれた位置）に到達する。しかしながら、絶縁層９０上に形成されるセルＣＬ２の幅方向の電界（この場合の電界強度をＥ１（Ｖ／ｍ）とする。）は絶縁層９０上に到達した荷電粒子７２をセルＣＬ２の中央側（貫通孔９２側）に移動させるほどの強度（電界強度）ではないため、絶縁層９０上に到達した荷電粒子７２は、絶縁層９０上に到達後、そのまま到達位置から移動し難い。また、絶縁層９０上に形成されるセルＣＬ２の幅方向の電界はセルＣＬ２の中央側ほど電界強度が大きいことから、絶縁層９０上に到達した荷電粒子７２はセルＣＬ２の中央から離れているほど（隔壁６０に近いほど）、移動し難い。以上が、セルＣＬ２内の複数の荷電粒子７２のうちの一部の荷電粒子７２がセルＣＬ２の中央から離れた位置に配置されるメカニズムと考えられる。
【００４６】
これに対して、本実施形態の表示媒体２０は、図１及び図２に示されるように、突起電極８０と、絶縁層９０とを備えている。そして、前述のとおり、本実施形態における、白色に発色させる場合のセルＣＬ２内に入射した光の反射板４６からの反射率（白反射率又は白色反射率）は、第１比較形態の場合に比べて高い（７０％以上である）。ここで、本実施形態の場合の反射率が第１比較形態の場合の反射率に比べて高い理由は、以下のように考えられる。
【００４７】
すなわち、本実施形態において、セルＣＬ２を白色に発色させる場合にセルＣＬ２内に形成される電界は、図５に示されるような、等電位線を形成する。また、本実施形態の場合における等電位線は、第１比較形態の場合の等電位線（図４参照）に比べて、セルＣＬ２における幅方向の中央かつ厚み方向の第１電極層４４側において、大きく歪んでいる。そのため、本実施形態の場合、図５に示されるように、初期状態においてセルＣＬ２におけるも隔壁６０側かつ独立電極５４２側の位置（破線Ｐ２で囲まれた位置）に配置されていた荷電粒子７２は、セルＣＬ２内に形成された電界により矢印方向（表示媒体２０Ａの厚み方向）に泳動して絶縁層９０上（破線Ｐ２で囲まれた位置）に到達する。さらに、絶縁層９０上に到達した荷電粒子７２は、絶縁層９０上に形成されるセルＣＬ２の幅方向の電界によりセルＣＬの中央側（貫通孔９２側）に向けて移動する。
【００４８】
本実施形態の場合、上記のとおり、絶縁層９０上に到達した荷電粒子７２がセルＣＬ２の幅方向の中央に向けて移動できる理由は、以下の理由による。すなわち、本実施形態の場合、第１電極層４４上を絶縁層９０が覆っていることにより、荷電粒子７２は厚み方向の第１電極層４４側へ移動することができない。そして、本実施形態では第１電極層４４上から突起する突起電極８０が設けられていることにより、本実施形態の場合の電界強度Ｅ２（絶縁層９０上に形成されるセルＣＬ２の幅方向の電界の強度）は、第１比較形態の場合の電界強度Ｅ１に比べて、大きい（一例として１０倍以上大きい）。そのため、本実施形態の場合、第１比較形態の場合に比べて、絶縁層９０上に到達した荷電粒子７２をセルＣＬ２の中央側（貫通孔９２側）に移動させ易い。その結果、本実施形態の場合、第１比較形態の場合に比べて、セルＣＬ２を白色に発色させる場合に、セルＣＬ２内の多くの荷電粒子７２が突起電極８０上又はその近傍に配置される（図２、図３及び図６参照）。
【００４９】
したがって、本実施形態の表示媒体２０（表示装置１０）によれば、絶縁層９０が第１電極層４４上をむき出しにした状態で覆っている場合に比べて、反射板４６からの光の反射率が高い。
【００５０】
［第２の作用効果］
次に、本実施形態の第２の作用効果について図面を参照しつつ説明する。第２の作用効果は、本実施形態の突起電極８０が、セルＣＬの中央側（セルＣＬにおける、表示媒体２０の長手方向及び短手方向の各方向の中央側）に位置していることの作用効果である。第１の作用効果については、本実施形態を後述する第２比較形態（図示省略）と比較して説明する。
【００５１】
第２比較形態は、各セルＣＬに備えられている突起電極８０が、セルＣＬにおける、表示媒体２０の長手方向及び短手方向の各方向の隔壁６０側、すわなち、セルＣＬの幅方向の端側に位置している。第２比較形態は、上記の点以外、本実施形態と同様とされている。なお、第２比較形態は、突起電極８０と、絶縁層９０とを備えていることから、前述の第１の作用効果を奏する構成である。すなわち、第２比較形態は、本発明の技術的範囲に属する形態である。
【００５２】
第２比較形態の場合、セルＣＬを白色に発色させる場合に絶縁層９０上の電界は、セルＣＬの幅方向において対称とならない。すなわち、セルＣＬの幅方向において、突起電極８０が位置している側と位置していない側では、絶縁層９０上の電界強度が異なる。具体的には、絶縁層９０上における突起電極８０が位置していない側の電界強度は、位置している側の電界強度に比べて小さい。そのため、第２比較形態の場合、セルＣＬを白色に発色させる場合に、絶縁層９０上における突起電極８０が位置していない側に到達した荷電粒子７２が突起電極８０の位置に向かって移動し難い。仮に、絶縁層９０上における突起電極８０が位置していない側に到達した荷電粒子７２が突起電極８０の位置に向かって移動するにしても、絶縁層９０上を移動して突起電極８０の位置まで移動するまでに時間がかかる。
【００５３】
これに対して、本実施形態の突起電極８０は、セルＣＬの中央側に位置している。すなわち、セルＣＬを白色に発色させる場合に絶縁層９０上の電界は、セルＣＬの幅方向において対称となる。そのため、本実施形態の場合、第２比較形態の場合に比べて、突起電極８０を挟んでセルＣＬの幅方向両側の絶縁層９０上に到達した荷電粒子７２をバランスよくセルＣＬの中央側に移動させることができる（図２及び図５参照）。ここで、「バランスよく」とは、移動させる荷電粒子７２の量が突起電極８０を挟んでセルＣＬの幅方向両側で同等（又は同等程度）であること、及び、移動させる荷電粒子７２の移動時間が突起電極８０を挟んでセルＣＬの幅方向両側で同等（又は同等程度）であることを意味する。
【００５４】
したがって、本実施形態の表示媒体２０（表示装置１０）によれば、突起電極８０がセルＣＬにおける幅方向の隔壁６０側に位置している場合に比べて、反射板４６からの光の反射率が高い。
【００５５】
以上が、第１実施形態についての説明である。
【００５６】
≪第２実施形態≫
次に、第２実施形態について、図面を参照しつつ説明する。以下の説明では、本実施形態において、第１実施形態を構成する要素等を用いる場合、図示しない場合であっても、その要素等の符号をそのまま用いることにする。
【００５７】
本実施形態の表示媒体２０Ｂは、絶縁層９０Ｂの比誘電率が１．５とされている。具体的には、本実施形態の表示媒体２０Ｂの場合、図７に示されるように、絶縁層９０Ｂ内に、複数の中空粒子９４が配置されている。別言すると、本実施形態の絶縁層９０Ｂは、複数の中空粒子９４を含んで構成されている。ここで、本明細書において、中空粒子とは、内部に空気が入っている空間を形成している粒子のことをいう。本実施形態の表示媒体２０Ｂ（表示装置１０Ｂ）は、これらの点以外、第１実施形態と同様とされている。なお、本実施形態の絶縁層９０Ｂのうち中空粒子９４以外の部分は、第１実施形態の絶縁層９０と同じ材質で構成されている。
【００５８】
本実施形態の場合、前述のとおり、絶縁層９０Ｂの比誘電率が１．５とされている。そして、本実施形態において、セルＣＬ２を白色に発色させる場合にセルＣＬ２内に形成される電界は、図８に示されるような、等電位線を形成する。ここで、本実施形態の場合の等電位線（図８）と、第１実施形態の場合の等電位線（図５）とを比較すると、本実施形態の場合は、第１実施形態の場合に比べて、セルＣＬ２における幅方向の中央かつ厚み方向の第１電極層４４側において、大きく歪んでいる。この結果は、絶縁層９０Ｂの比誘電率（１．５）が絶縁層９０の比誘電率（３．０）よりも小さいことによる。そして、本実施形態では絶縁層９０Ｂの比誘電率が第１実施形態の比誘電率よりも小さいことにより、本実施形態の場合の電界強度Ｅ３（絶縁層９０上に形成されるセルＣＬ２の幅方向の電界の強度）は、第１実施形態の場合の電界強度Ｅ２に比べて、大きい（一例として約１．５倍大きい）。
【００５９】
したがって、本実施形態の表示媒体２０Ｂ（表示装置１０Ｂ）によれば、絶縁層９０（９０Ｂ）の比誘電率が１．５より大きい場合に比べて、短時間で突起電極８０に荷電粒子７２を移動させ易い。
【００６０】
また、前述のとおり、本実施形態の場合、第１実施形態の絶縁層９０と同じ材質で構成されている層内に複数の中空粒子９４を配置することで、絶縁層９０Ｂを構成している。そのため、本実施形態では、簡単な構成で比誘電率を１．５以下にすることができる。
【００６１】
以上が、第２実施形態についての説明である。
【００６２】
以上のとおり、本発明を特定の実施形態を例として説明したが、本発明は前述した実施形態に限定されるものではない。本発明の技術的範囲には、例えば、下記のような形態も含まれる。
【００６３】
各実施形態では、表示装置１０、１０Ｂは、表示媒体２０、２０Ｂと、ドライバ３０とを備えており、表示装置１０、１０Ｂには含まれない外部電源（図示省略）から供給される電力を利用するとして説明した。しかしながら、表示装置１０、１０Ｂに電源（図示省略）を含む構成としてもよい。
【００６４】
各実施形態では、荷電粒子７２は、正極性に帯電されているとして説明した。しかしながら、荷電粒子７２は負極性に帯電されていてもよい。この場合、ドライバ３０は、各実施形態の場合に対して、外部電源により第１電極層４４に対して第２電極層５４に印加させるように制御すればよい。
【００６５】
各実施形態では、荷電粒子７２は、黒色であるとして説明した。しかしながら、荷電粒子７２が反射板４６と異なる色であれば、黒色でなくてもよい。
【００６６】
各実施形態では、反射板４６は、白色であるとして説明した。しかしながら、反射板４６が荷電粒子７２と異なる色であれば、白色でなくてもよい。
【００６７】
各実施形態では、突起電極８０と、絶縁層９０とが第１電極層４４上に配置されているとして説明した。しかしながら、突起電極８０と、絶縁層９０とは、第２電極層５４上に配置されていてもよい。
【００６８】
各実施形態では、絶縁層９０の厚みは、突起電極８０の径と同等であるとして説明した。しかしながら、第１電極層４４又は第２電極層５４の何れか一方の層上に、突起電極８０と、絶縁層９０とが配置されていれば、絶縁層９０の厚みが突起電極８０の径と同等でなくてもよい。例えば、図９に示される第１変形例の表示媒体２０Ｃ（表示装置１０Ｃ）のように、絶縁層９０の厚みが突起電極８０の径よりも薄く、突起電極８０の一部が絶縁層９０の上面よりも突出していてもよい。この場合、絶縁層９０の厚みは、厚い方（例えば、突起電極８０の径の０．５倍以上）が好ましい。その理由は、絶縁層９０の厚みが突起電極８０の径よりも薄い場合、絶縁層９０の厚みが薄いほど、絶縁層９０上に形成されるセルＣＬの厚み方向（Ｚ方向）の電界の強度が大きくなり、絶縁層９０上に到着した荷電粒子７２がセルＣＬの幅方向に移動し難くなるためである。
【００６９】
また、例えば、図１０に示される第２変形例の表示媒体２０Ｄ（表示装置１０Ｄ）のように、絶縁層９０の厚みが突起電極８０の径よりも厚く、突起電極８０が絶縁層９０内に埋まっていてもよい。この場合、絶縁層９０の厚みは、薄い方（例えば、突起電極８０の径の１．５倍以下）が好ましい。その理由は、絶縁層９０の厚みが突起電極８０の径よりも厚い場合、絶縁層９０の厚みが厚いほど、絶縁層９０上に形成されるセルＣＬの幅方向の電界の強度（第１実施形態の場合は図５の矢印Ｅ２、第２実施形態の場合は図８の矢印Ｅ３）が小さくなるためである。
【００７０】
各実施形態では、突起電極８０は一例として球状とされているとして説明した。しかしながら、第１電極層４４又は第２電極層５４の何れか一方の層上に配置されていれば、突起電極８０は、直方体状、円錐状、円錐台状その他の立体状であってもよい。例えば、図１１に示される第３変形例の表示媒体２０Ｅ（表示装置１０Ｅ）の突起電極８０Ｅのように、表示媒体２０Ｅの短手方向から見て、例えば、四角形状（この場合、図１１では明確ではないが突起電極８０Ｅは円柱状）であってもよい。
【００７１】
各実施形態では、突起電極８０は、一例として各セルＣＬに対応して１個ずつ備えられているとして説明した。しかしながら、各セルＣＬにおける、第１電極層４４又は第２電極層５４の何れか一方の層上に配置されていれば、突起電極８０は各セルＣＬに対応して複数個配置されていてもよい。例えば、図１２に示される第４変形例の表示媒体２０Ｆ（表示装置１０Ｆ）の突起電極８０Ｆのように、各セルＣＬに対応して、突起電極８０Ｆが２個ずつ配置されていてもよい。
【００７２】
以上、各実施形態（第１及び第２実施形態）、本発明の技術的範囲に含まれる第２比較形態並びに第１〜第４変形例について、それぞれ別個の形態として説明した。しかしながら、これらの形態の一の形態の要素を、当該一の形態以外の他の形態の要素に置換した形態としてもよい。例えば、第１変形例の表示媒体２０Ｃ（表示装置１０Ｃ）において、その突起電極８０（図９参照）を第３変形例の円柱状の突起電極８０Ｅ（図１１参照）に置換した形態としてもよい。また、例えば、第４変形例の表示媒体２０Ｆ（表示装置１０Ｆ）において、その絶縁層９０（図１２参照）を第２実施形態の絶縁層９０Ｂ（図７参照）に置換した形態としてもよい。
【００７３】
なお、本実施形態の表示媒体２０の突起電極８０は、以下のような方法で形成することができる。例えば、第１電極層４４上に金属層を形成し、次いで当該金属層にフォトレジストをラミネートし、次いで当該フォトレジストをフォトリソグラフィ技術によりパターニングし、次いで当該金属層をエッチングすることで突起電極８０を形成することができる（フォトリソグラフィ技術による突起電極８０の形成方法）。また、例えば、第１電極層４４上に金属パターンを塗布し、当該金属パターンを乾燥させて突起電極８０を形成することができる（塗布（ディスペンス）方法）。以上の方法の場合、これらの工程後に絶縁層９０が形成すればよい。また、例えば、第１電極層４４上に定められた位置に貫通孔が形成された絶縁層９０をパターニングし、次いで、絶縁層９０がパターニングされた第１電極層４４にめっき（例えば電解めっき）をして当該貫通孔内にめっきされた部分を突起電極８０として形成することもできる。
【符号の説明】
【００７４】
１０  表示装置
２０  表示媒体
３０  ドライバ（制御部の一例）
４０  第１基板（第１板の一例）
４４  第１電極層
４６  反射板（反射層の一例）
５０  第２基板（第２板の一例）
５４  第２電極層
６０  隔壁
７０  液
７２  荷電粒子
８０  突起電極
９０  絶縁層
９４  中空粒子
ＣＬ  セル（室の一例）
【図１】
2017156692.tif 000003
【図２】
2017156692.tif 000004
【図３】
2017156692.tif 000005
【図４】
2017156692.tif 000006
【図５】
2017156692.tif 000007
【図６】
2017156692.tif 000008
【図７】
2017156692.tif 000009
【図８】
2017156692.tif 000010
【図９】
2017156692.tif 000011
【図１０】
2017156692.tif 000012
【図１１】
2017156692.tif 000013
【図１２】
2017156692.tif 000014